(57)【特許請求の範囲】
【請求項１】
水没される簡易水中ポンプからの水を、当該簡易水中ポンプに接続された簡易ホースの先のシャワーノズルから吐出するようにした幼児用シャワー遊具であって、
前記簡易水中ポンプを、水底に設置されるベースと、このベース上に取り付けられて、ポンプ室を構成すべく筒状の軟質材料からなるポンプ本体と、このポンプ本体の天板部内側に取り付けられて、前記天板部に形成した出入穴の開閉を行う弁体と、前記天板部に取り付けられて、水中になっている前記天板部を浮力によって上動させることにより、前記ポンプ本体内に負圧を発生させる上動部材とを備えたものとし、
前記ポンプ本体とシャワーノズルとを、前記簡易ホースによって液密的に接続したことを特徴とする幼児用シャワー遊具。
【請求項２】
水没される簡易水中ポンプからの水を、当該簡易水中ポンプに接続された簡易ホースの先のシャワーノズルから吐出するようにした幼児用シャワー遊具を備えて、底板と、この底板の周縁から立ち上がる空気側壁とを有する幼児用プールであって、
前記簡易水中ポンプを、前記底板に取り付けられて、ポンプ室を構成すべく筒状の軟質材料からなるポンプ本体と、このポンプ本体の天板部内側に取り付けられて、前記天板部に形成した出入穴の開閉を行う弁体と、前記天板部に取り付けられて、水中になっている前記天板部を浮力によって上動させることにより、前記ポンプ本体内に負圧を発生させる上動部材とを備えたものとし、
前記ポンプ本体とシャワーノズルとを、前記簡易ホースによって液密的に接続したことを特徴とする幼児用プール。
【発明の詳細な説明】
【技術分野】
【０００１】
本発明は、幼児用シャワー遊具に関し、特に、何らの動力源または供給源を持たず、幼児が自分の好きなときに、自分の力で好きなように遊べるようにした幼児用シャワー遊具、及びこれを備えた幼児用プールに関するものである。
【背景技術】
【０００２】
元気な幼児達にとって、夏の暑い日に水遊びができることは最大の喜びのようで、親達も幼児達が喜ぶようにと、庭先やベランダで水を入れた幼児用プールを用意してあげることが一般的に行われている。この幼児用プールで幼児達が遊ぶ際に、特許文献１〜３に提案されているシャワー遊具も用意されることがある。
【０００３】
特許文献１にて提案されている「噴水装置」は、図５にも示すように、「空気の送入・排出によって膨縮するようにした送排気栓付き空気入りビニール製品体と、この空気入りビニール製品体の壁板に外向きの状態として取付けたシャワーノズル及び内外に連通する状態として取付けたチューブ用のジョイントと、一端をシャワーノズルの内端に他端をジョイントの内端にそれぞれ連結した折曲自在のチューブと、底部に排水口体を取付けた折畳自在の容水バケツ体と、一端を排水口端の外端に他端を上記のジョイントの外端にそれぞれ連結した折曲自在のチューブとを備えたことを特徴とする噴水装置」である。
【０００４】
これにより、特許文献１の「噴水装置」は、容水バケツ８を高いところに吊り下げて水を入れるとシャワーノズル２より噴水するものであり、また使用しない場合にはチューブ７を排水口体５より外し且つ空気入りビニール製品体１より空気を抜いて当該空気入り製品体１を小さく折りたたむと共にこれ等シューブ７空気入りビニール製品体１を容水バケツ６の中に収納することができるものである。しかしながら、この特許文献１の「噴水装置」では、何等の動力を要せず使用できるものではあるが、この特許文献１の「噴水装置」は、容水バケツ８を高いところに吊り下げて水を入れる容水バケツ８を高いところに吊り下げなければならないし、この容水バケツ８中の水が無くなれば水を追加しなければならない。
【０００５】
また、特許文献２の「シャワーおもちゃ」は、図６にも示すように、「軟質材料を使用して中空に形成し、内部の隔膜によって上室と下室の２室を形成し、上室には空気を供給あるいは排出するための栓付き口を形成し、上室頂部にはシャワー噴出口を形成し、上室と下室には水供給を形成し、シャワー噴出口と水供給口との間には上室内部にホースを配設し、下室には水を供給あるいは排出するための栓付き口を形成した」ものであるが、これにより、この「シャワーおもちゃ」は、軽くて小さく折り畳むことができ、持ち運びに便利であり、軟質材料で形成してあるからぶつかっても怪我をすることなく安全に使用できるものである。
【０００６】
しかしながら、この特許文献２の「シャワーおもちゃ」も、多分水道栓に接続するのであろうが、水供給口５から水を供給しなければならず、子供用のおもちゃであることも含めて、親が世話を焼かなくてはならない。
【０００７】
そして、特許文献３の「幼児用シャワー装置」は、本願の出願人において過去に提案したものであるが、図７にも示すように、「空気室内に空気を充填することにより動物等の形状となるシャワー本体と、このシャワー本体内に収納されて、水道等の水供給源にホース等を介して接続される通水パイプと、この通水パイプの先端に設けられて、前記シャワー本体の外面に露出するシャワー口とを備えた幼児用シャワー装置であって、前記シャワー本体の下部に、前記空気室とは区画されて、水や砂等の不定形充填材が充填される安定化室を形成するとともに、前記シャワー本体内に、前記空気室及び安定化室とは区画された分離通路を形成してこの中に前記通水パイプを挿通し、この通水パイプの先端に設けたシャワー口とその近傍に位置する前記シャワー本体の部分に口金板を介在させた」ものであり、これにより、幼児がシャワー浴びあるいは洗髪を楽しく行うことのできるシャワー装置１０を、簡単な構成によって提供することができるだけでなく、この幼児用シャワー装置１０においては、その通水パイプ１３のシャワー口１４と、この近傍に位置するシャワー本体１１の部分に口金板１５を介在させたから、シャワー口１４や通水パイプ１３の先端のシャワー本体１１に対する支持を確実にすることができるものとなっているのである。
【先行技術文献】
【特許文献】
【０００８】
【特許文献１】実公平３−３２３９７号公報
【特許文献２】実公平３−３４２３２号公報
【特許文献３】特許第３０５２０６３号掲載公報
【発明の概要】
【発明が解決しようとする課題】
【０００９】
以上の特許文献１〜３にて提案されている「幼児用シャワー装置」や「シャワーおもちゃ」は、これはこれで幼児用遊具の一種として十分役目を果たしていると考えられるが、シャワー水を高いところに吊下したバケツから供給してもらったり、水道に接続してもらったりするのではなく、「シャワー水遊びを自分の意思でやりたい」と思う幼児には不満足であろう。一方で、保護者にとっても、幼児のシャワー遊びを常時見守らなければならないことは、シャワー遊びをさせるのを躊躇してしまう一因にもなる。
【００１０】
要するに、この種の幼児用シャワー遊具では、構造が簡単で操作し易く、保護者が常時傍についていなくても、幼児が自分の思い通り十分遊べるようにする必要があるのである。
【００１１】
そこで、本発明者は、この種の幼児用シャワー遊具について、構造が簡単で操作し易く、保護者が常時傍についていなくても、幼児が自分の思い通り十分遊べるようにするにはどうしたらよいか、について種々検討を重ねてきた結果、本発明を完成したのである。
【００１２】
すなわち、本発明の目的とするところは、構造が簡単で操作し易く、保護者が常時傍についていなくても、幼児が自分の思い通り十分遊べる幼児用シャワー遊具、及びこれを備えた幼児用プールを提供することにある。
【課題を解決するための手段】
【００１３】
以上の課題を解決するために、まず、請求項１に係る発明の採った手段は、後述する最良形態の説明中で使用する符号を付して説明すると、
「水没される簡易水中ポンプ１０からの水を、当該簡易水中ポンプ１０に接続された簡易ホース２０の先のシャワーノズル３０から吐出するようにした幼児用シャワー遊具１００であって、
簡易水中ポンプ１０を、水底に設置されるベース１１と、このベース１１上に取り付けられて、ポンプ室１２ａを構成すべく筒状の軟質材料からなるポンプ本体１２と、このポンプ本体１２の天板部１３内側に取り付けられて、天板部１３に形成した出入穴１３ａの開閉を行う弁体１４と、天板部１３に取り付けられて、水中になっている天板部１３を浮力によって上動させることにより、ポンプ本体１２内に負圧を発生させる上動部材１５とを備えたものとし、
ポンプ本体１２とシャワーノズル３０とを、簡易ホース２０によって液密的に接続したことを特徴とする幼児用シャワー遊具１００」
である。
【００１４】
この請求項１に係る発明は、簡易水中ポンプ１０を備えた幼児用シャワー遊具１００であるが、この簡易水中ポンプ１０自体に大きな特徴を有するものである。すなわち、この幼児用シャワー遊具１００において、「水を、当該簡易水中ポンプ１０に接続された簡易ホース２０の先のシャワーノズル３０から吐出する」点に関しては、上記特許文献１〜３にて提案されているのであるが、使用者である幼児自身がシャワーノズル３０から吐出させるシャワー水の制御を、簡易水中ポンプ１０によって行うことが、特許文献１〜３にて提案されていることとは異なるものである。
【００１５】
簡易水中ポンプ１０は、上記した通り、水底に設置されるベース１１と、このベース１１上に取り付けられて、ポンプ室１２ａを構成するポンプ本体１２と、このポンプ本体１２の天板部１３内側に取り付けられて、天板部１３に形成した出入穴１３ａの開閉を行う弁体１４と、水中になっている天板部１３を上動させる上動部材１５とを備えたものであり、水道管やモータ等の動力源を必要とはしていないものである。
【００１６】
ここで、重要なことは、簡易水中ポンプ１０全体は、図１〜図４に示すように、その天板部１３が、湯、水、海水を張ったお風呂や幼児用プールの水面４０下となるように設置することである。換言すれば、この簡易水中ポンプ１０は、水中で機能させるものであり、簡易ホース２０についても、当該簡易水中ポンプ１０に対する接続部分及びその近傍部分も水中に没することにより、水圧が掛かるようになされる。以上のことを明示するために、天板部１３は「水中になっている」のである。
【００１７】
簡易水中ポンプ１０のベース１１は、簡易水中ポンプ１０全体を一体化するために必要なものであって、お風呂や幼児用プール等、水、湯、あるいは海水（以下、単に「水」と表現する）を満たし得る幼児用遊具内に、当該ベース１１とともに簡易水中ポンプ１０を持ち込めるようにするものであり、水を満たし得る幼児用遊具であれば何であっても、簡易水中ポンプ１０とともに幼児用シャワー遊具を使用できるようにするものである。
【００１８】
このベース１１の上に取り付けられるポンプ本体１２は、水を出入させるポンプ室１２ａを構成するものであり、このポンプ本体１２は、例えば図４、図５、あるいは図７に示すような幼児用プールを構成しているビニールシートのような軟質材料によって、筒状に形成されるものである。このポンプ本体１２は軟質である必要があるが、その理由は、このポンプ本体１２を、幼児の押圧力によっても簡単に潰すことができて、後述する上動部材１５の浮力によって膨張させ得るものにしなければならないからである。そして、このポンプ本体１２の裾部分は、上記ベース１１に液密的に取り付けられるのであり、このポンプ本体１２の天井部分は、天板部１３によって覆われて、当該ポンプ本体１２によってポンプ室１２ａが形成される。
【００１９】
天板部１３は、ポンプ本体１２のポンプ室１２ａを密閉空間とするとともに、図２または図３の各（ａ）に示すように、幼児の押圧力をポンプ本体１２側に掛けられるようにする部分ともなるもので、そのほぼ中央には、外部とポンプ室１２ａとを連通させるための出入穴１３ａが形成してある。この出入穴１３ａの内側である天板部１３の下面には、図１〜図３に示すように、当該出入穴１３ａの開閉を行う弁体１４が設けてあるが、この弁体１４は、幼児の押圧によって出入穴１３ａを閉じ、また次に述べる上動部材１５の上動機能によって出入穴１３ａを開放する。
【００２０】
上動部材１５は、それまで収縮あるいは潰れていたポンプ本体１２を、浮力によって膨張させるものであり、図１あるいは図２の例では、幼児の掌サイズ程度の「浮き輪」としたり、あるいは、水に浮く発泡スチロールのような固形物が採用されるものであり、これらの上動部材１５は天板部１３上に一体化される。
【００２１】
以上のような簡易水中ポンプ１０については先端にシャワーノズル３０を備えた簡易ホース２０が接続されるのであるが、後述する実施例では、図１〜図３に示すように、ポンプ本体１２の側面に直接接続される。また、この簡易ホース２０は、後述する実施例では、幼児用プールを構成しているビニールシートのような軟質材料によって潰れた筒状に形成されるものである。
【００２２】
この簡易ホース２０を、軟質材料によって潰れた筒状にするのは、この簡易ホース２０についての逆止弁を省略するためであり、当該簡易ホース２０自体の軟質性によって弁体の機能を発揮させたいためである。この簡易ホース２０は、ポンプ室１２ａ内の圧力が高まったときには、この圧力を受けて、図２の（ｂ）に示すように広がり、ポンプ室１２ａ内の水をシャワーノズル３０側に向けて送り出せる状態となるのであり、ポンプ室１２ａ内の圧力が低くなった（当該簡易水中ポンプ１０が入っている水中の周囲圧力と同じになった）ときには、ポンプ本体１２外の水圧を受けて、図２の（ｄ）に示すように閉状態となって、水の送り出しを不能にする。
【００２３】
そして、この簡易ホース２０を、例えば図４に示すように、像の形をした遊具内を通してから、鼻先になる部分にシャワーノズル３０を取り付けると、像がシャワー水を噴出させている状態を作り出せる。
【００２４】
この請求項１に係る幼児用シャワー遊具１００では、
ａ）その簡易水中ポンプ１０を構成している天板部１３を押圧すれば、図２の（ａ）に示すように、ポンプ本体１２のポンプ室１２ａの圧力が高まり、弁体１４が天板部１３の出入穴１３ａを閉じるとともに、ポンプ室１２ａ内に存在していた水、湯、あるいは海水を、簡易ホース２０の先のシャワーノズル３０から吐出させることができる。
ｂ）天板部１３から手を離せば、図２の（ｃ）に示すように、上動部材１５による上動力（浮力）が作用して天板部１３が持ち上げられ、ポンプ本体１２内のポンプ室１２ａの圧力が下がるから、出入穴１３ａを閉じていた弁体１４が開き、周囲の水がポンプ室１２ａ内に供給される。なおこのとき、簡易ホース２０においてはポンプ室１２ａからの水圧が掛からないから、簡易ホース２０は、図２の（ｄ）に示すように、ポンプ本体１２外の水圧によって押し潰され、閉じた状態になっている。
ということになり、結果的に、
ｃ）お風呂やプール内の水、湯、あるいは海水そのものをシャワー水とすることができて、水遊び途中でシャワー水が切れたり、シャワー水を追加したりすることがない。
ということになる。
【００２５】
以上のことを、遊戯している幼児や保護者の立場から考察してみると、
（１）幼児が、シャワー水を自らの意思で吐出させる面白さを体験できる。
（２）シャワー水の強弱は、自分の手の力加減で自由にできることを知ることができて、当該幼児用シャワー遊具１００の面白さをより一層体験できる。
（３）当該幼児用シャワー遊具１００は簡単な構造であるから、幼児用シャワー遊具１００を使用する幼児は、当該幼児用シャワー遊具１００の全体構成を直ちに理解できるだけでなく、何故シャワー水が船から出るのかの仕組みを直感的に理解できる。
（４）お風呂でもプールでも使用できるから、幼児は水遊びが大好きになる。
となるから、結果的に、
（５）当該幼児用シャワー遊具１００は、保護者の購買意欲を掻き立てて、所謂売れ筋商品となり得る。
のである。
【００２６】
従って、この請求項１に係る幼児用シャワー遊具１００は、構造が簡単で操作し易く、保護者が常時傍についていなくても、幼児が自分の思い通り十分遊べるものとなっているのである。
【００２７】
前述した課題を解決するために、請求項２に係る発明の採った手段は、後述する最良形態の説明中で使用する符号を付して説明すると、
「水没される簡易水中ポンプ１０からの水を、当該簡易水中ポンプ１０に接続された簡易ホース２０の先のシャワーノズル３０から吐出するようにした幼児用シャワー遊具１００を備えて、底板２１０と、この底板２１０の周縁から立ち上がる空気側壁２２０とを有する幼児用プール２００であって、
簡易水中ポンプ１０を、底板２１０に取り付けられて、ポンプ室１２ａを構成すべく筒状の軟質材料からなるポンプ本体１２と、このポンプ本体１２の天板部１３内側に取り付けられて、天板部１３に形成した出入穴１３ａの開閉を行う弁体１４と、天板部１３に取り付けられて、水中になっている天板部１３を浮力によって上動させることにより、ポンプ本体１２内に負圧を発生させる上動部材１５とを備えたものとし、
ポンプ本体１２とシャワーノズル３０とを、簡易ホース２０によって液密的に接続したことを特徴とする幼児用プール２００」
である。
【００２８】
この請求項２に係る幼児用プール２００は、上記請求項１に係る幼児用シャワー遊具１００を備えたものであり、幼児用プール２００が本来的に有している底板２１０を、請求項１の幼児用シャワー遊具１００が有していたベース１１に代替させて構成したものである。つまり、この幼児用プール２００における底板２１０は、請求項１で述べている「水底に設置されるベース」となり得るものである。従って、この幼児用プール２００における幼児用シャワー遊具１００は、請求項１で説明した幼児用シャワー遊具１００と実質的に同一であるから、この幼児用プール２００における幼児用シャワー遊具１００については、その説明を省略する。
【００２９】
さて、この請求項２に係る幼児用プール２００においては、請求項１の幼児用シャワー遊具１００が有していたベース１１を幼児用プール２００が本来的に有している底板２１０に代替させて構成したものであるから、当該幼児用シャワー遊具１００を他の遊戯具において使用することはできないが、幼児用シャワー遊具１００は幼児用プール２００内に折り畳んだ状態で、幼児用プール２００とともに片付けることができるものとなっている。
【００３０】
以上の結果、この請求項２に係る幼児用プール２００では、その幼児用シャワー遊具１００が、上述したａ）〜ｃ）の機能あるいは効果を発揮することになり、結果として、上記（１）〜（３）、及び（５）の付随的効果を発揮できるのである。
【００３１】
従って、この請求項２に係る幼児用プール２００は、構造が簡単で操作し易く、保護者が常時傍についていなくても、幼児が自分の思い通り十分遊べるものとなっているのである。
【発明の効果】
【００３２】
以上、説明した通り、各発明においては、
「水没される簡易水中ポンプ１０からの水を、当該簡易水中ポンプ１０に接続された簡易ホース２０の先のシャワーノズル３０から吐出するようにした幼児用シャワー遊具１００であって、
簡易水中ポンプ１０を、水底に設置されるベース１１と、このベース１１上に取り付けられて、ポンプ室１２ａを構成すべく筒状の軟質材料からなるポンプ本体１２と、このポンプ本体１２の天板部１３内側に取り付けられて、天板部１３に形成した出入穴１３ａの開閉を行う弁体１４と、天板部１３に取り付けられて、水中になっている天板部１３を浮力によって上動させることにより、ポンプ本体１２内に負圧を発生させる上動部材１５とを備えたものとし、
ポンプ本体１２とシャワーノズル３０とを、簡易ホース２０によって液密的に接続したこと」
あるいは、
「水没される簡易水中ポンプ１０からの水を、当該簡易水中ポンプ１０に接続された簡易ホース２０の先のシャワーノズル３０から吐出するようにした幼児用シャワー遊具１００を備えて、底板２１０と、この底板２１０の周縁から立ち上がる空気側壁２２０とを有する幼児用プール２００であって、
簡易水中ポンプ１０を、底板２１０に取り付けられて、ポンプ室１２ａを構成すべく筒状の軟質材料からなるポンプ本体１２と、このポンプ本体１２の天板部１３内側に取り付けられて、天板部１３に形成した出入穴１３ａの開閉を行う弁体１４と、天板部１３に取り付けられて、水中になっている天板部１３を浮力によって上動させることにより、ポンプ本体１２内に負圧を発生させる上動部材１５とを備えたものとし、
ポンプ本体１２とシャワーノズル３０とを、簡易ホース２０によって液密的に接続したこと」
にその構成上の特徴があり、これにより、構造が簡単で操作し易く、保護者が常時傍についていなくても、幼児が自分の思い通り十分遊べる幼児用シャワー遊具１００または幼児用プール２００を提供することができるのである。
【００３３】
換言すれば、これらの幼児用シャワー遊具１００または幼児用プール２００は、
ａ）その簡易水中ポンプ１０を構成している天板部１３を押圧すれば、図２の（ａ）に示すように、ポンプ本体１２のポンプ室１２ａの圧力が高まり、弁体１４が天板部１３の出入穴１３ａを閉じるとともに、ポンプ室１２ａ内に存在していた水、湯、あるいは海水を、簡易ホース２０の先のシャワーノズル３０から吐出させることができる。
ｂ）天板部１３から手を離せば、図２の（ｃ）に示すように、上動部材１５による上動力（浮力）が作用して天板部１３が持ち上げられ、ポンプ本体１２内のポンプ室１２ａの圧力が下がるから、出入穴１３ａを閉じていた弁体１４が開き、周囲の水がポンプ室１２ａ内に供給される。なおこのとき、簡易ホース２０においてはポンプ室１２ａからの水圧が掛からないから、簡易ホース２０は、図２の（ｄ）に示すように、ポンプ本体１２外の水圧によって押し潰され、閉じた状態になっている。
ということになり、
ｃ）お風呂やプール内の水、湯、あるいは海水そのものをシャワー水とすることができて、水遊び途中でシャワー水が切れたり、シャワー水を追加したりすることがない。
という効果を発揮できるのである。
【図面の簡単な説明】
【００３４】
【図１】請求項１に係る幼児用シャワー遊具１００を示す断面図である。
【図２】同幼児用シャワー遊具１００の使用状態を示すもので、（ａ）は天板部１３を押圧している状態の断面図、（ｂ）は（ａ）中の１−１線部の部分拡大断面図、（ｃ）は天板部１３への押圧力がなくて上動部材１５が機能している状態の断面図、（ｄ）は（ｃ）中の２−２線部の部分拡大断面図である。
【図３】同幼児用シャワー遊具１００について、上動部材１５としてスプリングを採用した場合を例示するもので、（ａ）は天板部１３を押圧している状態の断面図、（ｂ）は天板部１３の押圧を止めたとき上動部材１５が機能している状態の断面図である。
【図４】請求項２に係る幼児用プール２００を示す断面図である。
【図５】特許文献１で提案されている遊具を示す斜視図である。
【図６】特許文献２で提案されている遊具を示す斜視図である。
【図７】特許文献３で提案されている遊具を示す斜視図である。
【発明を実施するための形態】
【００３５】
以上のように構成した各請求項に係る発明を、図面に示した実施の形態である幼児用シャワー遊具１００及び幼児用プール２００について説明すると、図１〜図３には、請求項１に係る発明の実施形態である幼児用シャワー遊具１００が、また、図４には、請求項２に係る発明の実施形態である幼児用プール２００が示してある。図１〜図３に示した幼児用シャワー遊具１００は、その簡易水中ポンプ１０をお風呂や遊戯用プール内に持ち込めるものであり、図４に示した幼児用プール２００は、簡易水中ポンプ１０の部品であるベース１１を幼児用プール２００の底板２１０としたものであって、実質的に請求項１の幼児用シャワー遊具１００と同じ幼児用シャワー遊具１００を搭載したものである。
【００３６】
また、幼児用シャワー遊具１００を構成しているポンプ本体１２、底板２１０、上動部材１５、及び簡易ホース２０、そして幼児用プール２００を構成している底板２１０及び空気側壁２２０は、ビニールを代表とする軟質材料によって形成したものである。勿論、空気を入れて浮力を発生させるようにした上動部材１５、図４に示した「像の造形物」や、幼児用プール２００を構成している空気側壁２２０には空気を注入するための栓が設けてあり、これらを畳むときに、この栓を開いて内部の空気を排出させるものである。
【００３７】
さて、図１〜図３に示した簡易水中ポンプ１０は、水底に設置されるベース１１と、このベース１１上に取り付けられて、ポンプ室１２ａを構成するポンプ本体１２と、このポンプ本体１２の天板部１３内側に取り付けられて、天板部１３に形成した出入穴１３ａの開閉を行う弁体１４と、水中になっている天板部１３を上動させる上動部材１５とを備えたものである。一方、図４に示した幼児用プール２００の簡易水中ポンプ１０では、幼児用プール２００が本来的に有している底板２１０を、請求項１の幼児用シャワー遊具１００のベース１１に代替させたものであり、この幼児用プール２００における底板２１０は、図１〜図３に示した簡易水中ポンプ１０の「水底に設置されるベース」となる。従って、この図４に示した幼児用プール２００における幼児用シャワー遊具１００は、図１〜図３に示した幼児用シャワー遊具１００と実質的に同一のものである。
【００３８】
図１〜図３に示した簡易水中ポンプ１０のベース１１は、簡易水中ポンプ１０全体を一体化するために必要なものであって、お風呂や幼児用プール等、水、湯、あるいは海水（以下、単に「水」と表現する）を満たし得る幼児用遊具内に、当該ベース１１とともに簡易水中ポンプ１０を持ち込めるようにするものであり、水を満たし得る幼児用遊具であれば何であっても、簡易水中ポンプ１０とともに幼児用シャワー遊具１００を使用できるようにするものである。このベース１１は、図４に示した幼児用プール２００においては、その底板２１０に代替されることは上述した通りである。
【００３９】
このベース１１の上に取り付けられるポンプ本体１２は、水を出入させるポンプ室１２ａを構成するものであり、このポンプ本体１２は、例えば幼児用プールを構成しているビニールシートのような軟質材料によって、筒状に形成されるものである。このポンプ本体１２は軟質である必要がある理由は、このポンプ本体１２を、幼児によっても簡単に潰すことができて、上動部材１５の浮力やバネ力によって膨張させたいからである。そして、このポンプ本体１２の裾部分は、上記ベース１１に液密的に取り付けられるのであり、このポンプ本体１２の天井部分は、天板部１３によって覆われて、当該ポンプ本体１２によってポンプ室１２ａを形成する。
【００４０】
天板部１３は、ポンプ本体１２のポンプ室１２ａを密閉空間とするとともに、図２または図３の各（ａ）に示したように、押圧力をポンプ本体１２側に掛けられるようにする部分で、そのほぼ中央には、外部とポンプ室１２ａとを連通させるための出入穴１３ａが形成してある。この出入穴１３ａの内側である天板部１３の下面には、図１〜図３に示したように、当該出入穴１３ａの開閉を行う弁体１４が設けてあるが、この弁体１４は、押圧によって出入穴１３ａを閉じ、また上動部材１５の上動機能によって出入穴１３ａを開放する。
【００４１】
上動部材１５は、それまで収縮あるいは潰れていたポンプ本体１２を膨張させるものであり、図１あるいは図２の例では、幼児の掌サイズ程度の「浮き輪」としたり、あるいは、水に浮く発泡スチロールのような固形物が採用されるものであり、これらの上動部材１５は天板部１３上に一体化される。なお、この上動部材１５を、図３にも示したような、天板部１３の下面を押し上げる「スプリング」とした場合には、この上動部材１５は、ポンプ本体１２内に収納されて、上記ベース１１と天板部１３の裏面とが作用点となる。
【００４２】
以上のような簡易水中ポンプ１０については先端にシャワーノズル３０を備えた簡易ホース２０が接続されるのであるが、本実施例では、図１〜図３に示したように、ポンプ本体１２の側面に直接接続される。また、この簡易ホース２０は、内部の通水路が簡単に潰れない硬質のものであってもよいが、後述する実施例では、幼児用プールを構成しているビニールシートのような軟質材料によって潰れた筒状に形成されるものである。なお、この簡易ホース２０を硬質なものとした場合には、その簡易水中ポンプ１０側端部に弁体を設ければ良い。
【００４３】
この簡易ホース２０を、軟質材料によって潰れた筒状にするのは、この簡易ホース２０についての逆止弁を省略するためであり、当該簡易ホース２０自体の軟質性によって弁体の機能を発揮させる。この簡易ホース２０は、ポンプ室１２ａ内の圧力が高まったときには、この圧力を受けて、図２の（ｂ）に示したように広がり、ポンプ室１２ａ内の水をシャワーノズル３０側に向けて送り出せる状態となるのであり、ポンプ室１２ａ内の圧力が低くなった（当該簡易水中ポンプ１０が入っている水中の周囲圧力と同じになった）ときには、ポンプ本体１２外の水圧を受けて、図２の（ｄ）に示したように閉状態となって、水の送り出しを不能にする。なお、この簡易ホース２０の先に取り付けてあるシャワーノズル３０は一般的なものであり、シャワー水の吐出が行えるのであれば、何であっても構わない。
【００４４】
図４には、請求項２に係る幼児用シャワー遊具１００を幼児用プール２００に適用したものを例示したものであり、この幼児用プール２００は、底板２１０の周縁に空気側壁２２０を設けて、この空気側壁２２０内に空気を注入することによりプールとしての形状に展開され、空気側壁２２０内の空気を排出することにより、小さく折り畳むことができる、一般的なものである。その他の、幼児用シャワー遊具１００以外の部分に関する変形例は、自在に選定できる。
【００４５】
勿論、この図４に示した幼児用プール２００の簡易水中ポンプ１０では、上述したように、幼児用プール２００の底板２１０を、請求項１の幼児用シャワー遊具１００のベース１１に代替させたものであり、この幼児用プール２００における底板２１０は、図１〜図３に示した簡易水中ポンプ１０の「水底に設置されるベース」となるものである。この幼児用シャワー遊具１００のその他の構成については、請求項１の幼児用シャワー遊具１００で説明したのと同じ符号を付すことにより、その説明は省略する。
【符号の説明】
【００４６】
１００    幼児用シャワー遊具
１０    簡易水中ポンプ
１１    ベース
１２    ポンプ本体
１２ａ  ポンプ室
１３    天板部
１３ａ  出入穴
１４    弁体
１５    上動部材
２０    簡易ホース
３０    シャワーノズル
４０    水面
２００    幼児用プール
２１０    底板
２２０    空気側壁
【要約】
【課題】構造が簡単で操作し易く、保護者が常時傍についていなくても、幼児が自分の思い通り十分遊べる幼児用シャワー遊具１００を提供すること。
【解決手段】簡易水中ポンプ１０を、水底に設置されるベース１１と、このベース１１上に取り付けられて、ポンプ室１２ａを構成するポンプ本体１２と、このポンプ本体１２の天板部１３内側に取り付けられて、天板部１３に形成した出入穴１３ａの開閉を行う弁体１４と、水中になっている天板部１３を上動させる上動部材１５とを備えたものとしたこと。
【選択図】図１【図１】
0005883534.tif 000002
【図２】
0005883534.tif 000003
【図３】
0005883534.tif 000004
【図４】
0005883534.tif 000005
【図５】
0005883534.tif 000006
【図６】
0005883534.tif 000007
【図７】
0005883534.tif 000008